(57)【要約】【課題】荷物収納装置のセキュリティ性及び利便性を向上させる。【解決手段】荷物収納装置１００は、荷物を収納するための荷物収納部５４と、荷物収納部５４に荷物を出し入れするための開口を開閉する開閉部として機能する荷物扉２６と、荷物扉２６を施錠するための第２錠前部２７と、荷物扉２６を開くための操作を受け付けるための操作表示ユニット４４と、第２錠前部２７の施錠及び解錠を制御する制御装置とを備える。配送された荷物が荷物収納部５４に収納されているときに、配送者が荷物扉２６を開くために操作表示ユニット４４を操作した場合、制御装置は、使用者が解錠に承諾したことが確認された場合に、第２錠前部２７を解錠する。【選択図】図４
2019187559.tif 000002
【特許請求の範囲】
【請求項１】
荷物を収納するための収納部と、
前記収納部に荷物を出し入れするための開口を開閉する開閉部と、
前記開閉部を施錠するための錠前部と、
前記開閉部を開くための操作を受け付けるための操作部と、
前記錠前部の施錠及び解錠を制御する制御部と、
を備え、
配送された荷物が前記収納部に収納されているときに、配送者が前記開閉部を開くために前記操作部を操作した場合、前記制御部は、使用者が解錠に承諾したことが確認された場合に、前記錠前部を解錠することを特徴とする荷物収納装置。
【請求項２】
前記使用者の端末と通信するための通信部を更に備え、
前記制御部は、配送された荷物が前記収納部に収納されているときに、配送者が前記開閉部を開くために前記操作部を操作した場合、前記通信部により前記使用者の端末と通信を行うことにより、前記使用者が解錠を承諾するか否かを確認することを特徴とする請求項１に記載の荷物収納装置。
【請求項３】
前記操作部は、荷物の配送者が前記開閉部を開くために操作する配送者用ボタンを備え、
前記制御部は、配送された荷物が前記収納部に収納されているときに、前記配送者用ボタンが操作された場合、前記通信部により前記使用者の端末と通信を行うことにより、前記使用者が解錠に承諾するか否かを確認し、前記使用者が解錠を承諾したことが確認された場合に前記錠前部を解錠し、
前記制御部は、配送された荷物が前記収納部に収納されていないときに、前記配送者用ボタンが操作された場合、前記使用者が解錠に承諾するか否かを確認することなく前記錠前部を解錠することを特徴とする請求項２に記載の荷物収納装置。
【請求項４】
前記操作部は、
前記荷物収納装置の使用者が前記開閉部を開くために操作する使用者用ボタンと、
前記錠前部を解錠するために設定された所定の操作を受け付けるための解錠操作用ボタンと、
を備え、
前記制御部は、配送された荷物が前記収納部に収納されているときに、前記使用者用ボタンが操作された場合、前記解錠操作用ボタンの操作を更に受け付け、前記解錠操作用ボタンが設定された通りに操作された場合に前記錠前部を解錠する
ことを特徴とする請求項１から３のいずれかに記載の荷物収納装置。
【請求項５】
前記開閉部を開くための操作を行う人を撮像する撮像装置を更に備え、
前記撮像装置は、前記開閉部を開くための操作が行われたときに、その操作を行った人を撮像することを特徴とする請求項１から４のいずれかに記載の荷物収納装置。
【請求項６】
前記撮像装置は、前記配送者用ボタン又は前記使用者用ボタンの操作を受け付けたときに、前記配送者用ボタン又は前記使用者用ボタンを操作した人を撮像することを特徴とする請求項５に記載の荷物収納装置。
【請求項７】
前記制御部は、前記開閉部が前記配送者用ボタンにより開かれた場合には、前記開閉部が閉じられた後、前記開閉部を施錠するための操作を受け付けたときに前記錠前部を施錠し、前記開閉部が前記使用者用ボタンにより開かれた場合には、前記開閉部が閉じられたときに前記錠前部を施錠することを特徴とする請求項４から６のいずれかに記載の荷物収納装置。
【請求項８】
前記撮像装置は、前記制御部により前記開閉部が施錠されるまで撮像を続行することを特徴とする請求項５から７のいずれかに記載の荷物収納装置。
【請求項９】
少なくとも前記操作部又は前記撮像装置を覆う外扉を更に備え、
前記撮像装置は、前記外扉が閉じられるまで撮像を続行することを特徴とする請求項５から７のいずれかに記載の荷物収納装置。
【請求項１０】
請求項１から９のいずれかに記載の荷物収納装置と、
前記使用者の端末と、
を備え、
前記使用者の端末は、
前記荷物収納装置との間で通信を行う端末側通信部と、
前記錠前部の解錠を許可する旨を前記荷物収納装置に送信する解錠許可送信部と、
を備え、
前記制御部は、前記使用者の端末から前記錠前部の解錠を許可する旨を受信した場合に前記錠前部を解錠することを特徴とする配送管理システム。
【発明の詳細な説明】
【技術分野】
【０００１】
本発明は、荷物収納装置に関し、とくに、配送者により配送された荷物を収納可能な荷物収納装置、及びその荷物収納装置を利用可能な配送管理システムに関する。
【背景技術】
【０００２】
ネット通販の利用増加や共働き・単身世帯の増加に伴い、宅配物が再配達となるケースが増加している。再配達の増加は、社会的な問題にもなっている。この問題の解決策のひとつとして、宅配物等の荷物を収納できる荷物収納装置の戸建てへの普及が期待されている。
【先行技術文献】
【特許文献】
【０００３】
【特許文献１】特開２０１７−１３６１０８号公報
【発明の概要】
【発明が解決しようとする課題】
【０００４】
荷物収納装置を戸建てへ普及させるためには、荷物収納装置のセキュリティ性を十分に確保しつつ、使用者の利便性を向上させる技術が要求される。
【０００５】
本発明は、このような課題に鑑みてなされ、その目的は、荷物収納装置のセキュリティ性及び利便性を向上させる技術を提供することにある。
【課題を解決するための手段】
【０００６】
上記課題を解決するために、本発明のある態様の荷物収納装置は、荷物を収納するための収納部と、収納部に荷物を出し入れするための開口を開閉する開閉部と、開閉部を施錠するための錠前部と、開閉部を開くための操作を受け付けるための操作部と、錠前部の施錠及び解錠を制御する制御部と、を備える。配送された荷物が収納部に収納されているときに、配送者が開閉部を開くために操作部を操作した場合、制御部は、使用者が解錠に承諾したことが確認された場合に、錠前部を解錠する。
【０００７】
本発明の別の態様は、配送管理システムに関する。この配送管理システムは、荷物収納装置と、使用者の端末と、を備える。使用者の端末は、荷物収納装置との間で通信を行う端末側通信部と、錠前部の解錠を許可する旨を荷物収納装置に送信する解錠許可送信部と、を備える。制御部は、使用者の端末から錠前部の解錠を許可する旨を受信した場合に錠前部を解錠する。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、荷物収納装置のセキュリティ性及び利便性を向上させる技術を提供することができる。
【図面の簡単な説明】
【００１０】
【図１】実施の形態に係る配送管理システムの構成を示す図である。
【図２】実施の形態に係る荷物収納装置の斜視図である。
【図３】実施の形態に係る荷物収納装置の斜視図である。
【図４】実施の形態に係る荷物収納装置の斜視図である。
【図５】実施の形態に係る操作表示ユニットの構成を示す図である。
【図６】実施の形態に係る荷物収納装置の機能構成を示す図である。
【図７】実施の形態に係る使用者端末の機能構成を示す図である。
【図８】実施の形態に係る配送者端末の機能構成を示す図である。
【図９】実施の形態に係る配送管理サーバの機能構成を示す図である。
【図１０】実施の形態に係る荷物管理方法の手順を示すフローチャートである。
【図１１】実施の形態に係る荷物管理方法の手順を示すフローチャートである。
【図１２】図１１に示したフローチャートにおけるステップＳ１３０の認証処理の詳細を示すフローチャートである。
【図１３】図１１に示したフローチャートにおけるステップＳ１６０のステータス更新処理の詳細を示すフローチャートである。
【図１４】図１０に示したフローチャートにおけるステップＳ２００の荷受け処理の詳細を示すフローチャートである。
【図１５】実施の形態に係る荷物管理方法の手順を示すフローチャートである。
【図１６】図１０に示したフローチャートにおけるステップＳ３００の集荷処理の詳細を示すフローチャートである。
【図１７】図１０に示したフローチャートにおけるステップＳ４００の複数荷受け処理の詳細を示すフローチャートである。
【発明を実施するための形態】
【００１１】
図１は、実施の形態に係る配送管理システムの構成を示す。配送管理システム１は、配送者により配送された荷物及び投函物を収納するための荷物収納装置１００と、荷物収納装置１００の使用者が使用する使用者端末２００と、荷物を配送する配送者が使用する配送者端末３００と、荷物の配送を管理する配送管理サーバ４００と、これらの装置の間で通信を行うための通信手段の一例であるインターネット２とを備える。
【００１２】
荷物収納装置１００は、使用者の住居などに設置され、使用者の不在時などに配送された荷物を一時的に収納するための装置である。これにより、使用者は、外出時であっても配送された荷物を受け取ることができるので、使用者の利便性を向上させることができる。また、配送者は、使用者の不在時であっても荷物を配送することができるので、再配送にかかる労力及びコストを大幅に低減させることができる。
【００１３】
荷物収納装置１００は、配送者が荷物を収納することを可能とするために、使用者の住居の外部に設置されるので、配送者以外の人も荷物収納装置１００にアクセスすることができてしまう。したがって、荷物収納装置１００が不正に操作されて内部に収納された荷物が持ち出されるのを抑止するための措置を講じる必要がある。
【００１４】
このような課題を解決するために、本実施の形態の荷物収納装置１００は、荷物を収納するための収納部に荷物が収納されているときには、予め設定された暗証番号を入力しないと収納部の開口を開閉する開閉部を開くことができないように施錠するとともに、開閉部を開くための操作が行われたときに、その操作を行った人を撮像装置により撮像する。これにより、荷物収納装置１００のセキュリティ性を向上させ、荷物が不正に持ち出されるのを抑止することができる。また、使用者が安心して使用することが可能なセキュリティ性の高い荷物収納装置１００を提供することができるので、荷物収納装置１００の普及を促進することができる。
【００１５】
図２〜４は、実施の形態に係る荷物収納装置１００の斜視図である。図２は、外扉を閉じた状態を示し、図３は外扉を開けた状態を示し、図４は、外扉及び２つの内扉を開けた状態を示す。荷物収納装置１００は、玄関先に据え置かれたり、門柱に組み込まれたりする。本実施の形態の荷物収納装置１００は、宅配ボックスの機能とポストの機能を有する。
【００１６】
荷物収納装置１００は、ボックス本体１０と、仕切２０と、取出扉２２と、荷物扉２６と、投函扉２８と、外扉３０と、機能ユニット４０と、を備える。以下、ボックス本体１０に対して外扉３０が設けられる側を前側として説明する。
【００１７】
ボックス本体１０は、前面が開いた四角い箱状に形成される。ボックス本体１０は、天板１１と、底板１２と、右側板１３と、左側板１４と、背板１５と、を含む。
【００１８】
仕切２０は、板状の部材であり、ボックス本体１０の内部を上下に、具体的には上側の投函物収納部５２と下側の荷物収納部５４とに仕切る。
【００１９】
取出扉２２は、この例では右開きとなるようにボックス本体１０に対して取り付けられ、投函物収納部５２から投函物を取り出すための取出口（開口）５２ａを開閉する。なお、取出口５２ａは、機能ユニット４０、右側板１３、左側板１４及び仕切２０により画定される。
【００２０】
第１錠前部２３は、取出扉２２に固定される。第１錠前部２３は、制御装置（後述）からの指示に基づいて取出扉２２を施錠及び解錠する。
【００２１】
荷物扉２６は、この例では右開きとなるようにボックス本体１０に対して取り付けられ、荷物収納部５４に荷物を出し入れするための出し入れ口（開口）５４ａを開閉する。なお、出し入れ口５４ａは、仕切２０、右側板１３、左側板１４及び底板１２で画定される。
【００２２】
第２錠前部２７は、荷物扉２６に固定される。第２錠前部２７は、制御装置（後述）からの指示に基づいて荷物扉２６を施錠及び解錠する。
【００２３】
投函口（図示せず）は、前方に開口した投函口であり、天板１１、右側板１３、左側板１４及び機能ユニット４０により画定される。投函口は、投函物の盗難を抑止するために、例えば指先までしか入らない大きさに形成される。
【００２４】
投函扉２８は、投函口を外側から覆う扉であり、上開きとなるようにボックス本体１０に対して取り付けられる。
【００２５】
機能ユニット４０は、撮像ユニット４２と、操作表示ユニット４４と、スピーカ４１と、マイク４３と、を含む。撮像ユニット４２は、取出扉２２又は荷物扉２６を開くための操作を行った人を撮像する。操作表示ユニット４４は、操作入力を受け付けるためのボタンなどの構成を備える。スピーカ４１及びマイク４３は、後述するように、荷物収納装置１００に荷物を配送しようとする配送者が使用者の使用者端末２００などとの間で通話するために使用される。
【００２６】
撮像ユニット４２は、操作表示ユニット４４を操作する人の顔を明瞭に撮像するために、操作表示ユニット４４の近傍に設けられ、方向、画角、焦点距離などが調整される。これにより、荷物収納装置１００が不正に操作された場合であっても、操作した人の顔を証拠として記録しておくことができるので、荷物収納装置１００のセキュリティ性を向上させることができる。
【００２７】
外扉３０は、少なくとも撮像ユニット４２を覆うための扉であり、この例では右開きとなるようにボックス本体１０に対して取り付けられる。撮像ユニット４２が常に露出していると、監視されているかのような不快感を近隣住人等に与えてしまうところ、外扉３０で撮像ユニット４２を覆うことで、これを抑止できる。
【００２８】
また外扉３０は、好ましくは撮像ユニット４２に加えて荷物扉２６も覆うように構成される。この場合、荷物収納部５４に対して荷物を出し入れするには外扉３０を開くことになり、したがって必然的に撮像ユニット４２が外扉３０に覆われていない状態になる。そのため、荷物扉２６を開くための操作を行う人を確実に撮像できる。
【００２９】
また外扉３０は、好ましくは撮像ユニット４２に加えて操作表示ユニット４４も覆うように構成される。この場合、操作表示ユニット４４は、直射日光や雨風にさらされないように外扉３０に保護されるため、劣化が抑えられる。
【００３０】
図示の例では、外扉３０は、撮像ユニット４２、操作表示ユニット４４及び荷物収納部５４を覆うように構成されている。また、外扉３０が閉じられると、それにともなって取出扉２２及び荷物扉２６が閉じられるように構成されている。
【００３１】
撮像ユニット４２は、荷物収納部５４に収納されている、配送者により配送された荷物（以下、「配送物」ともいう）又は配送者により集荷される荷物（以下、「集荷物」ともいう）や、投函物収納部５２に投函されている投函物が、不正に持ち出されるのを抑止するために、荷物扉２６又は取出扉２２を開くための操作が行われたときに、その操作を行った人を撮像する。撮像ユニット４２に撮像を開始させるタイミングは、取出扉２２又は荷物扉２６を開くために操作表示ユニット４４が操作された時であってもよいし、操作表示ユニット４４を操作するために外扉３０が開かれた時であってもよいし、外扉３０が開かれてから取出扉２２又は荷物扉２６が開かれるまでの任意の時点であってもよい。また、人感センサなどにより人が荷物収納装置１００に近づいたことが検知された時であってもよい。撮像ユニット４２による撮像を終了させるタイミングは、取出扉２２又は荷物扉２６が閉じられた時であってもよいし、取出扉２２の第１錠前部２３又は荷物扉２６の第２錠前部２７が施錠された時であってもよいし、外扉３０が閉じられた時であってもよいし、外扉３０が閉じられるまでの任意の時点であってもよい。撮像ユニット４２は、動画像を撮像してもよいし、所定のタイミングで静止画像を撮像してもよい。
【００３２】
本実施の形態では、取出扉２２又は荷物扉２６を開くために操作表示ユニット４４が操作された時に撮像ユニット４２に撮像を開始させる。これにより、使用者又は配送者が取出扉２２又は荷物扉２６を開こうとした時だけでなく、不正に荷物を持ち出そうとする第三者が取出扉２２又は荷物扉２６を開こうとした時にも、撮像ユニット４２により撮像して記録しておくことができるので、荷物収納装置１００のセキュリティ性をより向上させることができる。なお、外扉３０は、錠前により施錠されておらず、自由に開閉可能に設けられているが、使用者及び配送者以外の人が外扉３０を開くことは通常考えられないので、別の例では、外扉３０が開かれた時に撮像ユニット４２に撮像を開始させてもよい。これにより、外扉３０を開いただけで操作表示ユニット４４を操作しなかった人や、操作表示ユニット４４を操作せずに荷物扉２６あるいは第２錠前部２７を破壊して荷物収納部５４を開こうとする人も、撮像ユニット４２により撮像して記録しておくことができるので、荷物収納装置１００のセキュリティ性をより向上させることができる。
【００３３】
図５は、実施の形態に係る操作表示ユニット４４の構成を示す。操作表示ユニット４４には、複数のボタンと、荷物収納装置１００の状態を示す複数のインジケータが設けられる。
【００３４】
操作表示ユニット４４に設けられるボタンは、例えば、配送者が配送又は集荷のための処理を開始するための配送者用ボタンである「開始」ボタン、使用者が荷物収納部５４に収納した荷物を集荷待ちとするための「集荷」ボタン、取出扉２２の第１錠前部２３又は荷物扉２６の第２錠前部２７を解錠するための設定番号又はパスワードを入力するための解錠操作用ボタンである数字ボタン、操作を確定するための「確定」ボタン、使用者が取出扉２２又は荷物扉２６を開くために操作する使用者用ボタンである「扉」ボタンを含む。これらのボタンには、操作可能なボタンを視覚的に識別可能に提示する提示部として機能するＬＥＤなどの照明が内蔵されており、制御装置により照明のオンオフが制御される。制御装置が操作入力を受け付けるボタンの照明はオンされ、操作入力を受け付けないボタンの照明はオフされる。
【００３５】
操作表示ユニット４４に設けられるインジケータは、例えば、荷物収納装置１００が使用者端末２００を呼び出していることを示す「呼び出し中」、エラーの発生を報知するための「エラー」、荷物収納部５４に収納された荷物が集荷待ちとなっていることを示す「集荷待ち」、「確定」ボタンの押下を促すための「「確定」押す」、取出扉２２の第１錠前部２３及び荷物扉２６の第２錠前部２７の施解錠状態を示す「施錠中」及び「解錠中」のシンボルマーク、投函物収納部５２に投函物が収納されていることを示す「投函物収納中」のマーク、荷物収納部５４に荷物が収納されていることを示す「荷物収納中」のマークを含む。これらのインジケータにも、ＬＥＤなどの照明が内蔵されており、制御装置により照明のオンオフが制御されて、それぞれのインジケータにより情報が示される状態と示されない状態とが切り替えられる。
【００３６】
図６は、実施の形態に係る荷物収納装置１００の機能構成を示す。荷物収納装置１００は、主に、通信装置４７、センサ４８、制御装置６０、及び記憶装置７０を備える。
【００３７】
通信装置４７は、インターネット２を介した他の装置との間の通信を制御する。通信装置４７は、有線又は無線の任意の通信方式により通信を行ってもよい。
【００３８】
センサ４８は、荷物収納装置１００の状態を検知するための各種のセンサを含む。センサ４８は、例えば、外扉３０、取出扉２２、及び荷物扉２６の開閉を検知する扉開閉センサや、投函物収納部５２及び荷物収納部５４に荷物が収納されているか否か、及び収納されている荷物の重量を検知するロードセルや、荷物収納装置１００の近傍に人が存在することを検知する人感センサなどを含む。
【００３９】
記憶装置７０は、制御装置６０により使用されるプログラム、データなどを記憶する。記憶装置７０は、半導体メモリ、ハードディスクなどであってもよい。記憶装置７０は、ステータス保持部７１、撮像画像保持部７２、通話履歴保持部７３、通知履歴保持部７４、設定番号保持部７５、及び通信情報保持部７６を備える。
【００４０】
ステータス保持部７１は、荷物収納装置１００の状態を示すステータス情報を保持する。ステータス情報は、荷物が荷物収納部５４に収納されていない状態であることを示す「荷物なし」、配送物が荷物収納部５４に収納されている状態であることを示す「荷受け中」、集荷物が荷物収納部５４に収納されている状態であることを示す「集荷待ち」を含む。後述するように、荷物収納部５４に複数の荷物が収納される場合もあるが、全ての荷物が配送物であれば、配送者が異なる配送物が混在していても「荷受け中」とし、全ての荷物が集荷物であれば、集荷者が異なる荷物が混在していても「集荷待ち」とする。配送物と集荷物が混在している場合は、「荷受け中」かつ「集荷待ち」とする。
【００４１】
撮像画像保持部７２は、撮像ユニット４２が撮像した画像を保持する。通話履歴保持部７３は、通話制御部６８が使用者端末２００との間で通話を行った日時、応答有無、通話内容の録音データなどを保持する。通知履歴保持部７４は、通知制御部６９が使用者端末２００、配送者端末３００、及び配送管理サーバ４００に通知を行った日時、内容、応答有無などを保持する。
【００４２】
設定番号保持部７５は、取出扉２２の第１錠前部２３及び荷物扉２６の第２錠前部２７を解錠するために入力すべき設定番号を保持する。設定番号保持部７５は、使用者を認証するための設定番号と、配送者を認証するために使用者により設定されたパスワードを保持する。工場出荷時には、設定番号として初期設定番号が設定番号保持部７５に保持されるが、操作表示ユニット４４又は使用者端末２００を介して随時設定番号を変更可能であり、設定番号の変更を受け付けると、変更後の設定番号が設定番号保持部７５に保持される。後述するように、荷物収納部５４に収納された集荷物を配送者が集荷する際には、操作表示ユニット４４又は使用者端末２００を介して設定されたパスワードが設定番号保持部７５に保持される。パスワードは、配送管理サーバ４００を介して配送者端末３００に通知され、配送者が正しいパスワードを操作表示ユニット４４から入力すると、第２錠前部２７が解錠されて荷物扉２６が開かれる。パスワードは、使用者によりいったん設定されると、別のパスワードに変更されるまで設定番号保持部７５に保持される。別の例では、配送者を認証するためのパスワードは、荷物収納装置１００に関する情報を管理する情報管理サーバにより生成されてもよい。この場合、生成されたパスワードは、情報管理サーバから荷物収納装置１００に送信されて設定番号保持部７５に保持されるとともに、使用者端末２００及び配送者端末３００へ送信されて使用者及び配送者に表示される。これにより、使用者を煩雑なパスワード管理から解放することができるので、使用者の利便性を向上させることができる。また、パスワードは、所定の有効期限が到来すると無効とされ、設定番号保持部７５から消去されてもよい。
【００４３】
通信情報保持部７６は、使用者端末２００及び配送者端末３００のＩＰアドレス、電話番号、通話用アプリケーションのＩＤなどや、配送管理サーバ４００のＩＰアドレス及びＵＲＬなどや、荷物収納装置１００のＩＰアドレス及び位置情報などや、使用者の氏名、住所、電話番号など、通信のために必要な情報を保持する。
【００４４】
制御装置６０は、操作制御部６１、撮像制御部６２、施解錠制御部６３、登録部６４、荷受け制御部６５、集荷制御部６６、複数荷受け制御部６７、通話制御部６８、及び通知制御部６９を備える。これらの各ブロックは、ハードウェア的には、コンピュータのＣＰＵ・メモリをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００４５】
操作制御部６１は、操作表示ユニット４４に対する操作入力を受け付け、受け付けた操作入力にしたがって適切な手順を選択して実行する。操作制御部６１は、外扉３０が開かれたことがセンサ４８により検知されると、操作表示ユニット４４をオン状態に切り替え、操作者からの操作入力を受け付ける。操作制御部６１は、配送者及び使用者による荷物収納装置１００に対する処理を統括して制御し、操作入力に応じて適切な構成を選択して処理を実行させる。
【００４６】
撮像制御部６２は、撮像ユニット４２による撮像を制御する。撮像制御部６２は、基本的には、操作表示ユニット４４の「開始」ボタン又は「扉」ボタンが押された時に撮像ユニット４２に撮像を開始させ、外扉３０が閉じられたことがセンサ４８により検知された時に撮像ユニット４２による撮像を終了させるが、具体的な手順については後述する。
【００４７】
施解錠制御部６３は、第１錠前部２３による取出扉２２の施錠及び解錠と、第２錠前部２７による荷物扉２６の施錠及び解錠を制御する。施解錠制御部６３は、操作制御部６１が操作表示ユニット４４から取出扉２２又は荷物扉２６を開くための操作入力を受け付けたときに、取出扉２２又は荷物扉２６を解錠する。また、施解錠制御部６３は、外扉３０が閉じたことをセンサ４８が検知すると、外扉３０が閉じられたことを契機に、取出扉２２及び荷物扉２６を施錠する。また、施解錠制御部６３は、取出扉２２又は荷物扉２６が閉じているが外扉３０が開いている場合は、取出扉２２又は荷物扉２６が閉じられてから所定時間が経過したことを契機に、取出扉２２又は荷物扉２６を施錠する。この場合、施解錠制御部６３は、予め登録されていた連絡先に外扉３０が開いている旨を通知する。
【００４８】
施解錠制御部６３は、使用者が取出扉２２又は荷物扉２６を開くための「扉」ボタンの操作入力を受け付けた場合は、取出扉２２又は荷物扉２６が閉じられたことを契機に、取出扉２２又は荷物扉２６を施錠する。施解錠制御部６３は、配送者が荷物扉２６を開くための「開始」ボタンの操作入力を受け付けた場合は、荷物扉２６が閉じられた後、操作表示ユニット４４の「確定」ボタンの操作入力を受け付けたことを契機に、荷物扉２６を施錠する。配送者が荷物扉２６を開けて、配送物を荷物収納部５４に収納する前に、誤って荷物扉２６を閉めてしまった場合、自動的に荷物扉２６を施錠してしまうと、配送者が再び荷物扉２６を開けて配送物を収納し直すことができなくなってしまうので、「確定」ボタンが押されるまでは荷物扉２６を施錠しない。他方、使用者が荷物扉２６を開けた場合は、誤って荷物扉２６を閉めてしまったときに自動的に荷物扉２６を施錠しても、再び荷物扉２６を開けることができるので、施錠忘れを防止するために、荷物扉２６が閉じられたときに自動的に荷物扉２６を施錠する。これにより、荷物収納装置１００の利便性及びセキュリティ性を向上させることができる。
【００４９】
施解錠制御部６３は、使用者が取出扉２２又は荷物扉２６を開くための「扉」ボタンの操作入力を受け付けた場合に、取出扉２２及び荷物扉２６の双方を解錠してもよいし、荷物扉２６は必ず解錠し、取出扉２２は投函物収納部５２に投函物が収納されている場合にのみ解錠してもよい。後述するように、使用者が荷物収納部５４に集荷物を収納する場合などには、荷物収納部５４に荷物が収納されていないときにも使用者が荷物扉２６を開きたい場合があるので、荷物扉２６は「扉」ボタンが操作されるたびに解錠するのが好ましいが、投函物収納部５２に投函物が収納されていないときに使用者が取出扉２２を開くことは通常考えられないので、施錠忘れを防止するために、取出扉２２は投函物収納部５２に投函物が収納されているときにのみ解錠してもよい。
【００５０】
登録部６４は、荷物収納装置１００の動作に必要な情報を登録するための制御を行う。登録部６４は、操作表示ユニット４４又は使用者端末２００から、設定番号、パスワード、使用者端末２００のＩＰアドレス、電話番号、又は通話用アプリケーションのＩＤ、使用者の住所や電話番号などの情報を受け付け、設定番号保持部７５又は通信情報保持部７６に受け付けた情報を登録する。
【００５１】
荷受け制御部６５は、配送者が配送物を荷物収納部５４に収納するための処理を制御する。集荷制御部６６は、配送者が荷物収納部５４に収納されている集荷物を集荷するための処理を制御する。複数荷受け制御部６７は、荷物収納部５４に配送物が収納されている時に、配送者が更に配送物を荷物収納部５４に収納するための処理を制御する。
【００５２】
通話制御部６８は、荷物収納装置１００の近傍にいる配送者と使用者との間の通話を制御する。通話制御部６８は、通信情報保持部７６から使用者端末２００を発呼するための電話番号やＩＤなどの情報を読み出して、使用者端末２００に発呼する。使用者端末２００が通話用アプリケーションにより受話すると、通話制御部６８は、プレストーク（プッシュ・トゥ・トーク）方式で荷物収納装置１００と使用者端末２００との間の通話を制御する。すなわち、通話制御部６８は、荷物収納装置１００の機能ユニット４０に設けられた通話用ボタンが押下されている間、マイク４３から入力された音声及び撮像ユニット４２により撮像された撮像画像を使用者端末２００に送信する。また、通話制御部６８は、使用者端末２００から受信した音声をスピーカ４１に出力する。通話制御部６８は、使用者端末２００との間で通話を行った日時、応答有無、通話内容の録音データなどを通話履歴保持部７３に登録する。
【００５３】
通知制御部６９は、荷物収納装置１００のステータス情報や撮像ユニット４２により撮像された画像などを使用者端末２００、配送者端末３００、又は配送管理サーバ４００、及び荷物収納装置１００に関する情報を管理する情報管理サーバに通知する。通知制御部６９は、通知が必要な事象が発生したときに、通信情報保持部７６から通知先の情報を読み出して、その通知先に情報を通知する。通知制御部６９は、例えば、荷物収納装置１００に配送物が配送されたときに、その旨と撮像画像を使用者端末２００に通知し、荷物収納装置１００に集荷物が収納されたときに、その旨を配送者端末３００に通知し、荷物収納装置１００のステータス情報が変更されたときに、ステータス情報を使用者端末２００、配送者端末３００、又は配送管理サーバ４００、及び情報管理サーバなどに通知する。通知制御部６９は、使用者端末２００、配送者端末３００、配送管理サーバ４００、及び情報管理サーバに通知を行った日時、内容、応答有無などを通知履歴保持部７４に登録する。
【００５４】
図７は、実施の形態に係る使用者端末２００の機能構成を示す。使用者端末２００は、主に、通信装置２０２、入力装置２０４、表示装置２０６、マイク２０８、スピーカ２１０、制御装置２６０、及び記憶装置２７０を備える。使用者端末２００は、携帯電話端末、スマートフォン、パーソナルコンピュータなどにより実現されてもよい。
【００５５】
通信装置２０２は、インターネット２を介した他の装置との間の通信を制御する。通信装置２０２は、有線又は無線の任意の通信方式により通信を行ってもよい。入力装置２０４は、使用者からの指示を制御装置２６０に入力する。表示装置２０６は、制御装置２６０により生成された表示画像を表示する。マイク２０８は、音声を入力し、スピーカ２１０は、音声を出力する。記憶装置２７０は、制御装置２６０により使用されるプログラム、データなどを記憶する。
【００５６】
制御装置２６０は、通知表示部２６１、情報登録部２６２、集荷依頼送信部２６３、送信票情報送信部２６４、解錠操作送信部２６５、解錠許可送信部２６６、及び通話制御部２６７を備える。これらの機能ブロックも、ハードウェア、ソフトウェアの組合せによっていろいろなかたちで実現できる。
【００５７】
通知表示部２６１は、荷物収納装置１００から通知された情報を表示装置２０６に表示する。通知表示部２６１は、荷物収納装置１００の撮像ユニット４２により撮像された画像や、荷物収納装置１００のステータス情報などを表示装置２０６に表示する。
【００５８】
情報登録部２６２は、荷物収納装置１００や配送管理サーバ４００などに使用者に関する情報などを登録する。情報登録部２６２は、使用者の氏名、住所、電話番号などの情報の入力を入力装置２０４から受け付け、荷物収納装置１００や配送管理サーバ４００などに送信する。また、情報登録部２６２は、集荷物を集荷する配送者が荷物収納装置１００の荷物扉２６を解錠するために使用するパスワードの入力を入力装置２０４から受け付け、荷物収納装置１００に登録する。
【００５９】
集荷依頼送信部２６３は、配送者に集荷物の集荷を依頼する旨を配送管理サーバ４００に送信する。使用者は、荷物収納装置１００に収納した集荷物の集荷を配送者に依頼する際には、事前準備として、集荷依頼送信部２６３により配送管理サーバへ集荷依頼を送信するとともに、荷物収納装置１００に集荷物を収納して集荷待ちの状態とする必要がある。集荷依頼送信部２６３は、集荷場所、集荷日時、集荷物の種類、重量、サイズ、荷物扉２６を解錠するためのパスワード、集荷物を収納する荷物収納装置１００の識別情報、情報管理サーバに荷物収納装置１００の情報を登録して荷物収納装置１００の利用が開始されたか否かを示すステータス情報などを配送管理サーバ４００へ送信する。
【００６０】
送信票情報送信部２６４は、配送者に集荷を依頼した集荷物に貼付される送信票に記載すべき情報を配送管理サーバ４００に送信する。送信票に記載すべき情報は、例えば、配送先の氏名、住所、電話番号、集荷物の種類、サイズ、重量などの情報である。送信元の氏名、住所、電話番号などの情報は、情報登録部２６２から配送管理サーバ４００へ事前に登録されているので、変更がない限り、集荷を依頼するたびに送信する必要はない。
【００６１】
解錠操作送信部２６５は、集荷を依頼された配送者が荷物収納装置１００から集荷物を取り出す際に、荷物扉２６を解錠するための操作を配送管理サーバ４００に送信する。本実施の形態では、荷物扉２６を解錠するための操作として、パスワードが設定される。解錠操作送信部２６５は、使用者により設定されたパスワードを配送管理サーバ４００に送信するとともに、情報登録部２６２により荷物収納装置１００にパスワードを登録する。
【００６２】
解錠許可送信部２６６は、後述するように、配送者が配送物を荷物収納装置１００に収納する際に、既に別の配送物が荷物収納装置１００に収納されていて荷物扉２６を開くことができないときに、配送者との間で通話した使用者が荷物扉２６の解錠を許可する場合には、荷物扉２６の解錠を許可する旨を荷物収納装置１００に送信する。
【００６３】
通話制御部２６７は、荷物収納装置１００との間のプレストーク方式の通話を制御する。通話制御部２６７は、荷物収納装置１００から受信した音声をスピーカ２１０に出力するとともに、画像を表示装置２０６に表示する。また、マイク２０８から入力された音声を荷物収納装置１００に送信する。
【００６４】
図８は、実施の形態に係る配送者端末３００の機能構成を示す。配送者端末３００は、主に、通信装置３０２、入力装置３０４、表示装置３０６、印刷装置３０８、制御装置３６０、及び記憶装置３７０を備える。配送者端末３００は、携帯電話端末、スマートフォンなどにより実現されてもよい。
【００６５】
通信装置３０２は、インターネット２を介した他の装置との間の通信を制御する。通信装置３０２は、有線又は無線の任意の通信方式により通信を行ってもよい。入力装置３０４は、配送者からの指示を制御装置３６０に入力する。表示装置３０６は、制御装置３６０により生成された表示画像を表示する。印刷装置３０８は、送信票や受領証などを印刷する。記憶装置３７０は、制御装置３６０により使用されるプログラム、データなどを記憶する。
【００６６】
制御装置３６０は、配送者認証部３６１、通知表示部３６２、集荷依頼受信部３６３、解錠操作受信部３６４、解錠操作提示部３６５、送信票情報受信部３６６、及び送信票出力部３６７を備える。これらの機能ブロックも、ハードウェア、ソフトウェアの組合せによっていろいろなかたちで実現できる。
【００６７】
配送者認証部３６１は、配送者端末３００を使用する配送者を認証する。配送者端末３００には、使用者の個人情報や、荷物収納装置１００の荷物扉２６を解錠するためのパスワードなどが表示されるので、第三者により不正に操作されないように認証する。配送者認証部３６１は、既知の任意の方式により配送者を認証してもよい。配送者が認証されると、配送者端末３００が使用可能となる。
【００６８】
通知表示部３６２は、荷物収納装置１００から通知された情報を表示装置３０６に表示する。通知表示部３６２は、荷物収納装置１００のステータス情報などを表示装置３０６に表示する。
【００６９】
集荷依頼受信部３６３は、使用者による集荷依頼を配送管理サーバ４００から受信する。集荷依頼受信部３６３は、配送者が集荷物を集荷するために必要な情報、例えば、使用者の氏名、住所、電話番号、集荷日時、集荷場所、集荷物の種類、重量、サイズなどを配送管理サーバ４００から受信する。
【００７０】
解錠操作受信部３６４は、配送者が集荷物を集荷するときに、荷物収納装置１００の荷物扉２６を解錠するための操作を配送管理サーバ４００から受信する。解錠操作受信部３６４は、使用者により設定されたパスワードを配送管理サーバ４００から受信する。
【００７１】
解錠操作提示部３６５は、解錠操作受信部３６４により受信されたパスワードを表示装置３０６に表示する。配送者は、表示装置３０６に表示されたパスワードを荷物収納装置１００の操作表示ユニット４４に入力して荷物扉２６を解錠する。
【００７２】
送信票情報受信部３６６は、集荷物に貼付される送信票に記載すべき情報を配送管理サーバ４００から受信する。送信票出力部３６７は、送信票情報受信部３６６により受信された情報を記載した送信票を印刷装置３０８から出力する。これにより、使用者が不在であっても集荷物に送信票を貼付して集荷することができるので、使用者の利便性を向上させることができる。
【００７３】
図９は、実施の形態に係る配送管理サーバ４００の機能構成を示す。配送管理サーバ４００は、主に、通信装置４０２、制御装置４６０、及び記憶装置４７０を備える。
【００７４】
通信装置４０２は、インターネット２を介した他の装置との間の通信を制御する。通信装置４０２は、有線又は無線の任意の通信方式により通信を行ってもよい。記憶装置４７０は、制御装置４６０により使用されるプログラム、データなどを記憶する。記憶装置４７０は、使用者情報データベース４７１を備える。
【００７５】
使用者情報データベース４７１は、荷物収納装置１００の使用者に関する情報を格納する。使用者情報データベース４７１には、例えば、使用者の氏名、住所、電話番号など、荷物の配送及び集荷に必要な情報、使用者のＩＤ、パスワードなど、使用者端末２００が配送管理サーバ４００にアクセスするために必要な情報、使用者の年齢、性別、職業、メールアドレスなど、使用者の個人情報が格納される。
【００７６】
制御装置４６０は、使用者情報登録部４６１、ログイン処理部４６２、集荷依頼受付部４６３、集荷依頼送信部４６４、解錠操作送信部４６５、及び送信票情報送信部４６６を備える。これらの機能ブロックも、ハードウェア、ソフトウェアの組合せによっていろいろなかたちで実現できる。
【００７７】
使用者情報登録部４６１は、使用者端末２００から使用者に関する情報を取得し、使用者情報データベース４７１に登録する。
【００７８】
ログイン処理部４６２は、使用者端末２００から配送管理サーバ４００へのログイン要求を受け付けると、使用者のＩＤ及びパスワードの入力を要求し、使用者情報データベース４７１を参照して、入力されたＩＤ及びパスワードの正誤を確認する。正しいＩＤ及びパスワードが入力された場合は、使用者端末２００のログインを許可する。誤ったＩＤ又はパスワードが入力された場合は、使用者端末２００にエラーメッセージを送信し、ログインを許可しない。
【００７９】
集荷依頼受付部４６３は、ログインに成功した使用者端末２００から、荷物の集荷の依頼を受け付ける。集荷依頼受付部４６３は、集荷依頼を受け付けるためのウェブページを提供し、集荷場所、集荷日時、集荷物の種類、重量、サイズ、荷物扉２６を解錠するためのパスワード、集荷物を収納する荷物収納装置１００の識別情報、情報管理サーバに荷物収納装置１００の情報を登録して荷物収納装置１００の利用が開始されたか否かを示すステータス情報、集荷物に貼付される送信票に記載すべき情報などを受け付ける。使用者が以前に設定したパスワードが今回の集荷においても使用される場合には、パスワードは受け付けなくてもよい。
【００８０】
集荷依頼送信部４６４は、集荷を担当する配送者の配送者端末３００に、集荷依頼を送信する。集荷依頼送信部４６４は、集荷を依頼した使用者の氏名、住所、電話番号、集荷日時などを配送者端末３００へ送信する。
【００８１】
解錠操作送信部４６５は、配送者が集荷物を集荷するときに、荷物収納装置１００の荷物扉２６を解錠するための操作として、使用者により設定されたパスワードを配送者端末３００へ送信する。
【００８２】
送信票情報送信部４６６は、集荷物に貼付される送信票に記載すべき情報を配送者端末３００へ送信する。送信元の氏名、住所、電話番号などの情報は、使用者情報データベース４７１から読み出して配送者端末３００へ送信する。
【００８３】
以上の構成の動作について、フローチャートを参照して以下に説明する。
【００８４】
図１０は、実施の形態に係る荷物管理方法の手順を示すフローチャートである。本図のフローチャートは、配送者が荷物収納装置１００を操作する場合の手順を示す。配送者が荷物収納装置１００の外扉３０を開けると、センサ４８が外扉３０が開かれたことを検知する（Ｓ１００）。操作制御部６１は、操作表示ユニット４４の電源をオンにして、「開始」ボタンと「扉」ボタンを点灯させる（Ｓ１０４）。
【００８５】
配送者が「開始」ボタンにタッチすると（Ｓ１０６）、操作制御部６１は、撮像制御部６２に、撮像ユニット４２による撮像を開始させ（Ｓ１０７）、ステータス保持部７１に保持されているステータス情報を参照して、実行すべき処理を選択する。ステータスが「荷物なし」である場合（Ｓ１０８のＹ）、荷受け制御部６５に荷受け処理を実行させる（Ｓ２００）。ステータスが「荷物なし」ではなく（Ｓ１０８のＮ）、「集荷待ち」である場合（Ｓ１１０のＹ）、集荷制御部６６に集荷処理を実行させる（Ｓ３００）。ステータスが「荷物なし」でも「集荷待ち」でもなく（Ｓ１１０のＮ）、「荷受け中」である場合（Ｓ１１２のＹ）、複数荷受け制御部６７に複数荷受け処理を実行させる（Ｓ４００）。ステータスが「荷物なし」でも「集荷待ち」でも「荷受け中」でもない場合（Ｓ１１２のＮ）、エラーが発生しているのでエラー処理を実行する（Ｓ１１４）。
【００８６】
選択された処理が終了し、配送者が外扉３０を閉めると、センサ４８が外扉が閉められたことを検知する（Ｓ１１６）。操作制御部６１は、撮像制御部６２に撮像ユニット４２による撮像を終了させる（Ｓ１１８）。
【００８７】
図１１は、実施の形態に係る荷物管理方法の手順を示すフローチャートである。本図のフローチャートは、使用者が荷物収納装置１００を操作する場合の手順を示す。使用者が荷物収納装置１００の外扉３０を開けると、センサ４８が外扉３０が開かれたことを検知する（Ｓ１２０）。操作制御部６１は、操作表示ユニット４４の電源をオンにして、「開始」ボタンと「扉」ボタンを点灯させる（Ｓ１２４）。ここまでは、図１０に示した手順と同様である。
【００８８】
使用者が「扉」ボタンにタッチすると（Ｓ１２６）、操作制御部６１は、撮像制御部６２に、撮像ユニット４２による撮像を開始させ（Ｓ１２７）、使用者を認証するための認証処理を実行する（Ｓ１３０）。認証に失敗した場合は、処理を終了する。認証に成功した場合、使用者は、荷物収納部５４に収納されている配送物を取り出し（Ｓ１５０）、又は、荷物収納部５４に集荷物を収納して（Ｓ１５２）、荷物扉２６を閉める（Ｓ１５４）。上述したように、配送者が「開始」ボタンをタッチして荷物扉２６を開いた場合には、荷物扉２６が閉じられた後に「確定」ボタンがタッチされてから荷物扉２６を施錠するが、使用者が「開始」ボタンをタッチして荷物扉２６を開いた場合には、荷物扉２６が閉じられたときに自動的に荷物扉２６を施錠する（Ｓ１５６）。第２錠前部２７は、荷物扉２６が閉じられたときに自動的に施錠される機構を有していてもよいし、センサ４８により荷物扉２６が閉じられたことが検知されたときに施解錠制御部６３が第２錠前部２７を施錠制御してもよい。
【００８９】
操作制御部６１は、荷物収納部５４に荷物が収納されているか否か、及び、使用者が「集荷」ボタンにタッチしたか否かに応じて、ステータス保持部７１のステータス情報を更新する（Ｓ１６０）。使用者が外扉３０を閉めると（Ｓ１８０）、操作制御部６１は、撮像制御部６２に撮像ユニット４２による撮像を終了させる（Ｓ１８２）。
【００９０】
図１２は、図１１に示したフローチャートにおけるステップＳ１３０の認証処理の詳細を示すフローチャートである。図１１に示したように、使用者が「扉」ボタンにタッチして荷物扉２６を開ける場合には、必ず認証処理を実行するが、後述するように、配送者が「開始」ボタンにタッチして荷物扉２６を開ける場合にも、荷物収納部５４の中に集荷物が収納されている場合には、認証処理を実行する。使用者を認証する場合も、配送者を認証する場合も、手順は同じであるから、ここでは両者を「操作者」と総称して説明する。
【００９１】
操作制御部６１は、認証処理を開始するにあたって、操作表示ユニット４４の「番号」ボタンと「確定」ボタンを点灯させる（Ｓ１３２）。操作者は、「番号」ボタンを使用して設定番号又はパスワードを入力し（Ｓ１３４）、最後に「確定」ボタンをタッチする（Ｓ１３６）。操作制御部６１は、設定番号保持部７５を参照して、入力された番号が設定番号又はパスワードと一致するか否かを確認し、設定された番号が正しく入力された場合は（Ｓ１３８のＹ）、施解錠制御部６３に取出扉２２及び荷物扉２６を解錠させる（Ｓ１４２）。入力された番号が設定番号又はパスワードと一致しなかった場合は（Ｓ１３８のＮ）、スピーカ４１又は操作表示ユニット４４によりエラーを報知し（Ｓ１４０）、Ｓ１３２に戻る。
【００９２】
図１３は、図１１に示したフローチャートにおけるステップＳ１６０のステータス更新処理の詳細を示すフローチャートである。ステータス更新処理は、使用者が荷物扉２６を開けて、荷物収納部５４から荷物を出し入れした後に、荷物収納装置１００のステータス情報を更新するものである。操作制御部６１は、荷物収納部５４に荷物が収納されていないことがセンサ４８により検知された場合（Ｓ１６２のＮ）、ステータス保持部７１のステータス情報を「荷物なし」に設定する（Ｓ１７４）。操作制御部６１は、荷物収納部５４に荷物が収納されていることがセンサ４８により検知された場合（Ｓ１６２のＹ）、「集荷」ボタンを点灯表示させる（Ｓ１６４）。使用者が「集荷」ボタンをタッチした場合は（Ｓ１６６、Ｓ１６８のＹ）、操作制御部６１は、ステータス保持部７１のステータス情報を「集荷待ち」に設定する（Ｓ１７０）。使用者が「集荷」ボタンをタッチせずに、外扉３０を閉めるか、所定時間が経過した場合は（Ｓ１６８のＮ）、荷物収納部５４に収納されている配送物を使用者が取り出さなかったか、荷物収納部５４に配送物でも集荷物でもない荷物を一時的に収納したと推測されるので、操作制御部６１は、配送者及び第三者が使用者の同意なく荷物扉２６を開くことができないようにするために、ステータス保持部７１のステータス情報を「荷受け中」に設定する（Ｓ１７２）。
【００９３】
図１４は、図１０に示したフローチャートにおけるステップＳ２００の荷受け処理の詳細を示すフローチャートである。荷受け処理は、荷受け制御部６５により実行される。荷受け制御部６５は、操作表示ユニット４４の「確定」ボタンを点灯表示し（Ｓ２０２）、配送者が「確定」ボタンをタッチすると（Ｓ２０４）、施解錠制御部６３に荷物扉２６を解錠させる（Ｓ２０６）。配送者が荷物収納部５４に配送物を収納し（Ｓ２０８）、荷物扉２６を閉めると（Ｓ２１０）、荷受け制御部６５は、操作表示ユニット４４の「確定」ボタンを点灯表示する（Ｓ２１２）。配送者が「確定」ボタンをタッチすると（Ｓ２１６）、荷受け制御部６５は、施解錠制御部６３に荷物扉２６を施錠させ（Ｓ２１６）、ステータス保持部７１のステータス情報を「荷受け中」に設定する（Ｓ２１８）。
【００９４】
図１５は、実施の形態に係る荷物管理方法の手順を示すフローチャートである。本図のフローチャートは、使用者が荷物収納装置１００に収納した集荷物の集荷を配送者に依頼するための手順を示す。まず、使用者は、使用者端末２００により配送管理サーバ４００にアクセスして、配送管理サーバ４００により提供されるサービスを享受するために、ユーザ登録を行う（Ｓ３５０）。使用者は、例えば、使用者の氏名、住所、連絡先、荷物収納装置１００の有無、荷物収納装置１００の識別情報などを配送管理サーバ４００に登録する。
【００９５】
使用者が集荷を依頼するとき、使用者端末２００により配送管理サーバ４００にログインし（Ｓ３６０）、配送管理サーバ４００により提供されるウェブページなどを介して、配送管理サーバ４００に集荷を依頼し（Ｓ３６２）、配送者が荷物扉２６を開けるときに使用するパスワードを設定する（Ｓ３６４）。配送管理サーバ４００は、配送者が集荷するために必要な情報、例えば、集荷を依頼した使用者の住所、氏名、集荷日時、集荷物の種類などを配送者端末３００に送信するとともに（Ｓ３６６）、使用者が設定したパスワードを配送者端末３００に送信する（Ｓ３６８）。配送者端末３００は、配送者を認証し（Ｓ３７０）、配送者が認証された場合は、集荷情報を表示装置に表示するとともに（Ｓ３７２）、使用者が設定したパスワードを表示装置に表示する（Ｓ３７４）。使用者が、図１１に示した手順で集荷物を荷物収納部５４に収納すると、通知制御部６９が配送者端末３００にその旨を通知する。
【００９６】
図１６は、図１０に示したフローチャートにおけるステップＳ３００の集荷処理の詳細を示すフローチャートである。集荷処理は、集荷制御部６６により実行される。集荷制御部６６は、配送者からパスワードの入力を受け付けて配送者を認証し（Ｓ１３０）、配送者が認証されると、施解錠制御部６３に荷物扉２６を解錠させる。配送者が荷物収納部５４から集荷物を取り出し（Ｓ３０２）、荷物扉２６を閉めると（Ｓ３０４）、集荷制御部６６は、操作表示ユニット４４の「確定」ボタンを点灯表示する（Ｓ３０６）。配送者が「確定」ボタンをタッチすると（Ｓ３０８）、施解錠制御部６３に荷物扉２６を施錠させ（Ｓ３１０）、ステータス保持部７１のステータス情報を「荷物なし」に設定する（Ｓ３１２）。このとき、荷物収納部５４に別の集荷物又は配送物が残っている場合は、ステータス情報を「集荷待ち」又は「荷受け中」に設定する。これにより、使用者は不在中にも集荷物を配送者に集荷してもらうことができるので、使用者の利便性を向上させることができる。また、配送管理サーバ４００を介してパスワードを配送者端末３００に伝達するので、集荷を依頼した配送者しか荷物扉２６を開けることができないようにすることができ、集荷物を不正に持ち出されるおそれを低減させることができる。
【００９７】
図１７は、図１０に示したフローチャートにおけるステップＳ４００の複数荷受け処理の詳細を示すフローチャートである。複数荷受け処理は、複数荷受け制御部６７により実行される。複数荷受け制御部６７は、通信情報保持部７６から使用者端末２００を発呼するための情報を読み出し、通話制御部６８に使用者端末２００を発呼させる（Ｓ４０２）。使用者端末２００が応答すると（Ｓ４０４）、通話制御部６８が使用者端末２００との間のプレストーク方式の通話を制御する（Ｓ４０６）。配送者は、配送物を使用者に配送するために使用者の自宅を訪問しているが、荷物収納装置１００に既に配送物が収納されているため、配送物を収納することができない旨を伝える。使用者が、更なる配送のために荷物扉２６を解錠することに同意する場合は、使用者端末２００から荷物収納装置１００に荷物扉２６を解錠するよう指示し（Ｓ４０８）、複数荷受け制御部６７は、施解錠制御部６３に荷物扉２６を解錠させる（Ｓ４１０）。配送者が荷物収納部５４に配送物を収納し（Ｓ４１２）、荷物扉２６を閉めると（Ｓ４１４）、複数荷受け制御部６７は、操作表示ユニット４４の「確定」ボタンを点灯表示する（Ｓ４１６）。配送者が「確定」ボタンをタッチすると（Ｓ４１８）、複数荷受け制御部６７は、施解錠制御部６３に荷物扉２６を施錠させる（Ｓ４２０）。この場合、ステータス保持部７１のステータス情報は既に「荷受け中」に設定されているので、ステータス情報を更新する必要はない。これにより、使用者の不在中に複数の配送者から配送物が配送された場合であっても、それらの配送物を荷物収納装置１００に配送してもらうことができるので、使用者の利便性を向上させることができる。また、外出先においても、配送者との通話及び撮像画像により配送者を確認してから荷物扉２６を自らの指示で解錠することができるので、既に配送されていた配送物を不正に持ち出されるおそれを低減させることができる。
【００９８】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００９９】
実施の形態では、撮像ユニット４２と荷物扉２６を外扉３０で覆う場合について説明したが、これに限られない。撮像ユニット４２と荷物扉２６とを別々の外扉で覆ってもよい。あるいは、撮像ユニット４２は外扉３０で覆い、荷物扉２６は外扉３０で覆わないようにしてもよい。
【０１００】
以上の実施形態、変形例により具体化される発明を一般化すると、以下の技術的思想が導かれる。
【０１０１】
本発明のある態様の荷物収納装置は、荷物を収納するための収納部と、収納部に荷物を出し入れするための開口を開閉する開閉部と、開閉部を施錠するための錠前部と、開閉部を開くための操作を受け付けるための操作部と、錠前部の施錠及び解錠を制御する制御部と、を備える。配送された荷物が収納部に収納されているときに、配送者が開閉部を開くために操作部を操作した場合、制御部は、使用者が解錠に承諾したことが確認された場合に、錠前部を解錠する。
【０１０２】
この態様によると、既に配送された荷物が荷物収納装置に収納されている場合であっても、更に配送物を荷物収納装置に収納してもらうことができるので、使用者の利便性を向上させることができる。また、使用者が解錠に承諾したことを確認してから錠前部を解錠するので、配送物を不正に持ち出されるおそれを低減させることができ、荷物収納装置のセキュリティ性を向上させることができる。
【０１０３】
使用者の端末と通信するための通信部を更に備えてもよい。制御部は、配送された荷物が収納部に収納されているときに、配送者が開閉部を開くために操作部を操作した場合、通信部により使用者の端末と通信を行うことにより、使用者が解錠を承諾するか否かを確認してもよい。この態様によると、使用者が外出中であっても、配送者と通信を行うことにより配送者を確認し、解錠を承諾するか否かを判断することができるので、荷物収納装置の利便性及びセキュリティ性を向上させることができる。
【０１０４】
操作部は、荷物の配送者が開閉部を開くために操作する配送者用ボタンを備えてもよい。制御部は、配送された荷物が収納部に収納されているときに、配送者用ボタンが操作された場合、通信部により使用者の端末と通信を行うことにより、使用者が解錠に承諾するか否かを確認し、使用者が解錠を承諾したことが確認された場合に錠前部を解錠し、制御部は、配送された荷物が収納部に収納されていないときに、配送者用ボタンが操作された場合、使用者が解錠に承諾するか否かを確認することなく錠前部を解錠してもよい。この態様によると、荷物収納装置の利便性及びセキュリティ性を向上させることができる。
【０１０５】
操作部は、荷物収納装置の使用者が開閉部を開くために操作する使用者用ボタンと、錠前部を解錠するために設定された所定の操作を受け付けるための解錠操作用ボタンと、を備えてもよい。制御部は、配送された荷物が収納部に収納されているときに、使用者用ボタンが操作された場合、解錠操作用ボタンの操作を更に受け付け、解錠操作用ボタンが設定された通りに操作された場合に錠前部を解錠してもよい。この態様によると、荷物収納装置の利便性及びセキュリティ性を向上させることができる。
【０１０６】
開閉部を開くための操作を行う人を撮像する撮像装置を更に備えてもよい。撮像装置は、開閉部を開くための操作が行われたときに、その操作を行った人を撮像してもよい。この態様によると、開閉部を開こうとした人を撮像しておくので、内部に収納された荷物が不正に持ち出されるおそれを低減させることができる。また、荷物が不正に持ち出されてしまった場合には持ち出した人を確認することができるので、荷物収納装置のセキュリティ性を向上させることができる。
【０１０７】
撮像装置は、配送者用ボタン又は使用者用ボタンの操作を受け付けたときに、配送者用ボタン又は使用者用ボタンを操作した人を撮像してもよい。この態様によると、開閉部を開こうとした人を撮像しておくので、荷物収納装置のセキュリティ性を向上させることができる。
【０１０８】
制御部は、開閉部が配送者用ボタンにより開かれた場合には、開閉部が閉じられた後、開閉部を施錠するための操作を受け付けたときに錠前部を施錠し、開閉部が使用者用ボタンにより開かれた場合には、開閉部が閉じられたときに錠前部を施錠してもよい。この態様によると、配送者が誤って配送物を収納する前に開閉部を閉じてしまった場合には、再び開閉部を開くことができるようにするとともに、使用者が開閉部を閉じたときには自動的に錠前部を施錠することにより、施錠忘れを防ぐことができるので、荷物収納装置のセキュリティ性及び利便性を向上させることができる。
【０１０９】
撮像装置は、制御部により開閉部が施錠されるまで撮像を続行してもよい。この態様によると、荷物収納装置のセキュリティ性を向上させることができる。
【０１１０】
少なくとも操作部又は撮像装置を覆う外扉を更に備えてもよい。撮像装置は、外扉が閉じられるまで撮像を続行してもよい。この態様によると、荷物収納装置のセキュリティ性を向上させることができる。
【０１１１】
荷物収納装置と、使用者の端末と、を備えてもよい。使用者の端末は、荷物収納装置との間で通信を行う端末側通信部と、錠前部の解錠を許可する旨を荷物収納装置に送信する解錠許可送信部と、を備えてもよい。制御部は、使用者の端末から錠前部の解錠を許可する旨を受信した場合に錠前部を解錠してもよい。
【０１１２】
本発明の別の態様は、配送管理システムに関する。この配送管理システムは、上記のいずれかの荷物収納装置と、使用者の端末と、配送者の端末と、を備える。使用者の端末は、使用者が収納部に収納した荷物の集荷を配送者に依頼するための集荷依頼送信部と、配送者が収納部の錠前を解錠するための操作を配送者に送信する解錠操作送信部と、を備える。配送者の端末は、収納部の錠前を解錠するための操作を受信する解錠操作受信部と、解錠操作受信部により受信された錠前を解錠するための操作を配送者に提示する解錠操作提示部と、を備える。
【０１１３】
この態様によると、既に配送された荷物が荷物収納装置に収納されている場合であっても、更に配送物を荷物収納装置に収納してもらうことができるので、使用者の利便性を向上させることができる。また、使用者が解錠に承諾したことを確認してから錠前部を解錠するので、配送物を不正に持ち出されるおそれを低減させることができ、荷物収納装置のセキュリティ性を向上させることができる。
【０１１４】
本発明の更に別の態様は、荷物管理プログラムに関する。この荷物管理プログラムは、コンピュータを、荷物を収納するための収納部を備えた荷物収納装置に備えられた操作部から、配送された荷物が収納部に収納されたことを示す操作を受け付けると、収納部に荷物を出し入れするための開口を開閉する開閉部を施錠するための錠前部を施錠する荷受け制御部、配送された荷物が収納部に収納されているときに、配送者が開閉部を開くために操作部を操作した場合、使用者が解錠に承諾したことが確認された場合に錠前部を解錠する複数荷受け制御部、として機能させる。
【０１１５】
この態様によると、既に配送された荷物が荷物収納装置に収納されている場合であっても、更に配送物を荷物収納装置に収納してもらうことができるので、使用者の利便性を向上させることができる。また、使用者が解錠に承諾したことを確認してから錠前部を解錠するので、配送物を不正に持ち出されるおそれを低減させることができ、荷物収納装置のセキュリティ性を向上させることができる。
【符号の説明】
【０１１６】
１  配送管理システム、２２  取出扉、２３  第１錠前部、２６  荷物扉、２７  第２錠前部、３０  外扉、４０  機能ユニット、４１  スピーカ、４２  撮像ユニット、４３  マイク、４４  操作表示ユニット、４７  通信装置、４８  センサ、５２  投函物収納部、５４  荷物収納部、６０  制御装置、６１  操作制御部、６２  撮像制御部、６３  施解錠制御部、６４  登録部、６５  荷受け制御部、６６  集荷制御部、６７  複数荷受け制御部、６８  通話制御部、６９  通知制御部、７０  記憶装置、７１  ステータス保持部、７２  撮像画像保持部、７３  通話履歴保持部、７４  通知履歴保持部、７５  設定番号保持部、７６  通信情報保持部、１００  荷物収納装置、２００  使用者端末、２６１  通知表示部、２６２  情報登録部、２６３  集荷依頼送信部、２６４  送信票情報送信部、２６５  解錠操作送信部、２６６  解錠許可送信部、２６７  通話制御部、３００  配送者端末、３６１  配送者認証部、３６２  通知表示部、３６３  集荷依頼受信部、３６４  解錠操作受信部、３６５  解錠操作提示部、３６６  送信票情報受信部、３６７  送信票出力部、４００  配送管理サーバ、４６１  使用者情報登録部、４６２  ログイン処理部、４６３  集荷依頼受付部、４６４  集荷依頼送信部、４６５  解錠操作送信部、４６６  送信票情報送信部。
【図１】
2019187559.tif 000003
【図２】
2019187559.tif 000004
【図３】
2019187559.tif 000005
【図４】
2019187559.tif 000006
【図５】
2019187559.tif 000007
【図６】
2019187559.tif 000008
【図７】
2019187559.tif 000009
【図８】
2019187559.tif 000010
【図９】
2019187559.tif 000011
【図１０】
2019187559.tif 000012
【図１１】
2019187559.tif 000013
【図１２】
2019187559.tif 000014
【図１３】
2019187559.tif 000015
【図１４】
2019187559.tif 000016
【図１５】
2019187559.tif 000017
【図１６】
2019187559.tif 000018
【図１７】
2019187559.tif 000019